(57)【要約】【課題】無線コントローラおよび複数の照明装置のペアリングを的確に解消する。【解決手段】照明システム１は、無線コントローラ２０と、無線コントローラ２０とペアリングすることで無線コントローラ２０によって制御される中継用の照明装置１１と、中継用の照明装置１１とペアリングすることで中継用の照明装置１１を介して無線コントローラ２０によって制御される中継先の照明装置１２とを備える。照明システム１は、無線コントローラ２０と中継用の照明装置１１とのペアリングを解消する解消指示を取得する取得部と、取得部が解消指示を取得した場合に、中継用の照明装置１１と中継先の照明装置１２とのペアリング、および、無線コントローラ２０と中継用の照明装置１１とのペアリングを解消するペアリング解消部とを備える。【選択図】図４Ａ
2020123514.tif 000002
【特許請求の範囲】
【請求項１】
無線コントローラと、
前記無線コントローラとペアリングすることで前記無線コントローラによって制御される中継用の照明装置と、
前記中継用の照明装置とペアリングすることで前記中継用の照明装置を介して前記無線コントローラによって制御される中継先の照明装置と
を備える照明システムであって、
前記無線コントローラと前記中継用の照明装置とのペアリングを解消する解消指示を取得する取得部と、
前記取得部が前記解消指示を取得した場合に、前記中継用の照明装置と前記中継先の照明装置とのペアリング、および、前記無線コントローラと前記中継用の照明装置とのペアリングを解消するペアリング解消部と
を備える照明システム。
【請求項２】
前記ペアリング解消部は、前記中継用の照明装置と前記中継先の照明装置とのペアリングが解消された後に、前記無線コントローラと前記中継用の照明装置とのペアリングを解消する
請求項１に記載の照明システム。
【請求項３】
さらに、前記無線コントローラと通信する操作端末を備え、
前記操作端末は、前記解消指示を前記無線コントローラ、前記中継用の照明装置および前記中継先の照明装置に出力する
請求項１または２に記載の照明システム。
【請求項４】
さらに、前記中継用の照明装置と前記中継先の照明装置とがペアリング状態にあるか否かを判断する判断部を備え、
前記ペアリング解消部は、前記取得部が前記解消指示を取得し、かつ、前記判断部が前記中継用の照明装置と前記中継先の照明装置とがペアリング状態にあると判断した場合に、前記ペアリングを解消する
請求項３に記載の照明システム。
【請求項５】
前記判断部は、前記中継用の照明装置に備えられている
請求項４に記載の照明システム。
【請求項６】
前記判断部は、前記無線コントローラに備えられている
請求項４に記載の照明システム。
【請求項７】
前記判断部は、前記操作端末に備えられている
請求項４に記載の照明システム。
【請求項８】
さらに、前記中継用の照明装置と前記中継先の照明装置とのペアリングに関するペアリング情報を表示する表示部を備え、
前記表示部は、前記取得部が前記解消指示を取得し、かつ、前記判断部が前記中継用の照明装置と前記中継先の照明装置とがペアリング状態にあると判断した場合に、前記ペアリング解消部がペアリングを解消する前に前記ペアリング情報を表示する
請求項４〜７のいずれか１項に記載の照明システム。
【請求項９】
前記表示部は、前記無線コントローラに備えられている
請求項８に記載の照明システム。
【請求項１０】
前記表示部は、前記中継用の照明装置に備えられている点灯部である
請求項８に記載の照明システム。
【請求項１１】
前記表示部は、前記操作端末に備えられている表示入力部である
請求項８に記載の照明システム。
【請求項１２】
前記表示部は、前記ペアリング情報として、前記中継用の照明装置と前記中継先の照明装置とがペアリングしていることを示す情報を表示する
請求項８〜１１のいずれか１項に記載の照明システム。
【請求項１３】
前記表示部は、前記ペアリング情報として、前記無線コントローラと前記中継用の照明装置とのペアリングの解消に伴って前記中継用の照明装置と前記中継先の照明装置とのペアリングが解消されることを示す情報を表示する
請求項８〜１１のいずれか１項に記載の照明システム。
【請求項１４】
さらに、前記中継用の照明装置と異なる他の中継用の照明装置を備え、
前記中継用の照明装置と前記中継先の照明装置とのペアリングが解消された後、前記他の中継用の照明装置と前記中継先の照明装置とをペアリングさせるペアリング実行部を備える
請求項１〜１３のいずれか１項に記載の照明システム。
【請求項１５】
無線コントローラと、前記無線コントローラと通信する中継用の照明装置と、前記中継用の照明装置を介して前記無線コントローラと通信する中継先の照明装置とを備える照明システムのペアリング解消方法であって、
前記無線コントローラと前記中継用の照明装置とがペアリングされ、かつ、前記中継用の照明装置と前記中継先の照明装置とがペアリングされている状態において、前記無線コントローラと前記中継用の照明装置とのペアリングを解消する解消指示を取得する取得ステップと、
前記取得ステップの後に、前記中継用の照明装置と前記中継先の照明装置とのペアリング、および、前記無線コントローラと前記中継用の照明装置とのペアリングを解消する解消ステップと
を含む照明システムのペアリング解消方法。
【請求項１６】
請求項１５に記載の照明システムのペアリング解消方法をコンピュータに実行させるためのプログラム。
【発明の詳細な説明】
【技術分野】
【０００１】
本発明は、無線コントローラと複数の照明装置とを備える照明システム、照明システムのペアリング解消方法およびプログラムに関する。
【背景技術】
【０００２】
従来、無線コントローラと、無線コントローラによって通信制御される複数の照明装置とを備える照明システムが知られている（例えば特許文献１参照）。この種の照明システムでは、無線コントローラおよび複数の照明装置が建物内に設置された後に、無線コントローラと複数の照明装置とのペアリングが行われる。
【先行技術文献】
【特許文献】
【０００３】
【特許文献１】特開２０１６−２０１２７０号公報
【発明の概要】
【発明が解決しようとする課題】
【０００４】
例えば上記照明システムにおいて、無線コントローラの電波が所定の照明装置に届かない場合、無線コントローラと所定の照明装置との間に中継用の照明装置が配置され、中継用の照明装置と所定の照明装置とがペアリングされる。これにより無線コントローラを用いて所定の照明装置を制御することが可能となる。
【０００５】
しかしながら、建物内のレイアウト変更等により、中継用の照明装置の電波が所定の照明装置に届かなくなる場合がある。その場合、中継用の照明装置を他の中継用の照明装置に変更する必要があるが、単純に変更しただけではすでに設定されたペアリングを解消することができず、無線コントローラを用いて所定の照明装置を制御できないことがある。
【０００６】
そこで、本発明は、無線コントローラおよび複数の照明装置のペアリングを的確に解消することができる照明システム等を提供することを目的とする。
【課題を解決するための手段】
【０００７】
本発明の照明システムの一態様は、無線コントローラと、前記無線コントローラとペアリングすることで前記無線コントローラによって制御される中継用の照明装置と、前記中継用の照明装置とペアリングすることで前記中継用の照明装置を介して前記無線コントローラによって制御される中継先の照明装置とを備える照明システムであって、前記無線コントローラと前記中継用の照明装置とのペアリングを解消する解消指示を取得する取得部と、前記取得部が前記解消指示を取得した場合に、前記中継用の照明装置と前記中継先の照明装置とのペアリング、および、前記無線コントローラと前記中継用の照明装置とのペアリングを解消するペアリング解消部とを備える。
【０００８】
本発明の照明システムのペアリング解消方法の一態様は、無線コントローラと、前記無線コントローラと通信する中継用の照明装置と、前記中継用の照明装置を介して前記無線コントローラと通信する中継先の照明装置とを備える照明システムのペアリング解消方法であって、前記無線コントローラと前記中継用の照明装置とがペアリングされ、かつ、前記中継用の照明装置と前記中継先の照明装置とがペアリングされている状態において、前記無線コントローラと前記中継用の照明装置とのペアリングを解消する解消指示を取得する取得ステップと、前記取得ステップの後に、前記中継用の照明装置と前記中継先の照明装置とのペアリング、および、前記無線コントローラと前記中継用の照明装置とのペアリングを解消する解消ステップとを含む。
【０００９】
本発明のプログラムの一態様は、上記照明システムのペアリング解消方法をコンピュータに実行させる。
【発明の効果】
【００１０】
照明システムにおいて、無線コントローラおよび複数の照明装置のペアリングを的確に解消することができる。
【図面の簡単な説明】
【００１１】
【図１】実施の形態１に係る照明システムが備える照明装置群、無線コントローラおよび操作端末を示す概略図である。
【図２】実施の形態１に係る照明装置群のうちの中継用の照明装置を他の中継用の照明装置に変更する前後の様子を示す図である。
【図３Ａ】実施の形態１に係る照明システムの構成を示すブロック図である。
【図３Ｂ】実施の形態１に係る中継用の照明装置を他の中継用の照明装置に変更した後の構成を示すブロック図である。
【図４Ａ】実施の形態１に係る照明システムのペアリング解消方法を示すシーケンス図である。
【図４Ｂ】実施の形態１に係る照明システムのペアリングの設定方法を示すシーケンス図である。
【図５】実施の形態１の変形例１に係る照明システムの構成を示すブロック図である。
【図６】実施の形態１の変形例１に係る照明システムのペアリング解消方法を示すシーケンス図である。
【図７】実施の形態１の変形例２に係る照明システムの構成を示すブロック図である。
【図８】実施の形態１の変形例２に係る照明システムのペアリング解消方法を示すシーケンス図である。
【図９】実施の形態２に係る照明システムのペアリング解消方法を示すシーケンス図である。
【図１０】実施の形態２に係る照明システムの操作端末に表示される画面の一例を示す図である。
【図１１】実施の形態２に係る照明システムの操作端末に表示される画面の他の一例を示す図である。
【図１２】実施の形態２の変形例１に係る照明システムのペアリング解消方法を示すシーケンス図である。
【図１３】実施の形態２の変形例２に係る照明システムのペアリング解消方法を示すシーケンス図である。
【図１４】実施の形態３に係る照明システムにおいて、ペアリングの解消が失敗した場合の例を示すシーケンス図である。
【発明を実施するための形態】
【００１２】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略または簡略化する。
【００１４】
（実施の形態１）
［１−１．照明システムの構成］
まず、実施の形態１に係る照明システム１の全体構成について、図１を参照しながら説明する。
【００１５】
図１は、照明システム１が備える照明装置群１０、無線コントローラ２０および操作端末３０を示す概略図である。
【００１６】
照明システム１は、操作端末３０と、操作端末３０と通信する無線コントローラ２０と、無線コントローラ２０と無線通信する照明装置群１０とを備える。無線コントローラ２０および照明装置群１０は、例えば建物の天井などに設置される。照明装置群１０は、複数の照明装置１０ａ、中継用の照明装置１１、中継先の照明装置１２、および、中継用の照明装置１１と異なる他の中継用の照明装置１３（図示省略）を含む。各照明装置１０ａ、中継用の照明装置１１、中継先の照明装置１２および他の中継用の照明装置１３は、同じ部品によって構成されている。
【００１７】
以下において、中継用の照明装置１１を照明装置１１と呼び、中継先の照明装置１２を照明装置１２と呼び、他の中継用の照明装置１３を照明装置１３と呼ぶ場合がある。また以下では、照明装置群１０のうち照明装置１１、１２および１３を代表例に挙げて説明する。
【００１８】
図１に示すように、無線コントローラ２０および照明装置１１は、無線通信ｒ１で通信可能となっている。照明装置１１および照明装置１２は、無線通信ｒ２で通信可能となっている。操作端末３０および無線コントローラ２０は、無線通信ｒ３で通信可能となっている。無線通信ｒ１、ｒ２、ｒ３による通信方式としては、例えば、９２０ＭＨｚ帯の周波数を利用した特定小電力無線、Ｚｉｇｂｅｅ（登録商標）、Ｂｌｕｅｔｏｏｔｈ（登録商標）、あるいは、ＷｉＦｉ（登録商標）などの方式が用いられる。
【００１９】
この照明システム１では、無線コントローラ２０と照明装置１２との間に照明装置１１が配置され、照明装置１１と照明装置１２とがペアリングされる。これにより、無線コントローラ２０は、照明装置１１を介して照明装置１２を制御することが可能となっている。なお、ペアリングとは、相手の識別情報を互いに保持することをいう。識別情報は、例えば、ＭＡＣアドレス（Ｍｅｄｉａ  Ａｃｃｅｓｓ  Ｃｏｎｔｒｏｌ  Ａｄｄｒｅｓｓ）であってもよいし、各照明装置１１、１２に割り当てられた通信アドレスであってもよい。
【００２０】
次に、中継用の照明装置１１を他の中継用の照明装置１３に変更する場面について、図２を参照しながら説明する。
【００２１】
図２は、照明装置群１０のうちの中継用の照明装置１１を他の中継用の照明装置１３に変更する前後の様子を示す図である。
【００２２】
図２の（ａ）には、照明装置１１が照明装置１３に変更される前の様子が示されている。この図では、照明装置１１がホップ元の照明装置となり、照明装置１２がホップ先の照明装置となっている。照明システム１では、例えば建物内のレイアウト変更等により、中継用の照明装置１１の電波が照明装置１２に届かなくなる場合がある。その場合、例えば、中継用の照明装置１１を他の中継用の照明装置１３に変更し、照明装置１３を介して照明装置１２を制御する必要がある。
【００２３】
それに対し図２の（ｂ）には、照明装置１１を照明装置１３に変更した後の様子が示されているが、単純に照明装置１１を照明装置１３に変更しただけでは、すでに設定されたペアリングに関する識別情報が中継先である照明装置１２に残り、照明装置１３と照明装置１２とのペアリングを新たに設定することが困難となることがある。
【００２４】
そこで、本実施の形態の照明システム１は、中継用の照明装置１１を他の中継用の照明装置１３に変更する際に、無線コントローラ２０と照明装置１１とのペアリングを解消し、かつ、照明装置１１と照明装置１２とのペアリングを解消する。これにより、無線コントローラ２０、照明装置１１、１２のそれぞれにおいて、ペアリング相手の識別情報が消去される。したがって、例えば照明装置１１を照明装置１３に変更し、照明装置１３と照明装置１２とのペアリングを新たに設定した後に、照明装置１３を介して照明装置１２を通信制御することができる。
【００２５】
以下、照明システム１が備える操作端末３０、無線コントローラ２０、照明装置１１、１２および１３の構成について順に説明する。
【００２６】
図３Ａは、照明システム１の構成を示すブロック図である。図３Ｂは、中継用の照明装置１１を他の中継用の照明装置１３に変更した後の構成を示すブロック図である。
【００２７】
操作端末３０は、無線コントローラ２０および各照明装置１１、１２、１３の通信設定を行うための設定器である。操作端末３０は、例えば、タブレット端末またはスマートフォンである。なお、操作端末３０は、据え置き型のコンピュータ端末であってもよい。操作端末３０は、通信部３０ａと、表示入力部３０ｂと、制御部３０ｃとを備える。通信部３０ａおよび表示入力部３０ｂのそれぞれは、制御部３０ｃに接続されている。
【００２８】
通信部３０ａは、無線通信ｒ３で無線コントローラ２０と通信する回路である。通信部３０ａは、無線モジュールなどによって構成されている。
【００２９】
表示入力部３０ｂは、無線コントローラ２０および各照明装置１１、１２、１３のペアリングに関するペアリング情報を表示する表示部である。表示入力部３０ｂに表示されるペアリング情報とは、例えば、無線コントローラ２０および各照明装置１１、１２、１３がペアリング状態にあるか否か、ペアリングが解消されたか否か、ペアリングの解消に失敗したか否かを示す情報である。表示入力部３０ｂは、例えばタッチパネルであり、照明システム１を使うユーザの操作入力を受け付ける機能も有している。
【００３０】
制御部３０ｃは、通信部３０ａおよび表示入力部３０ｂの作動を制御する回路である。制御部３０ｃは、例えばプロセッサなどによって構成されている。制御部３０ｃは、ペアリング解消部３０ｆ、記憶部３０ｇおよびペアリング指示部３０ｈを有している。
【００３１】
ペアリング解消部３０ｆは、通信部３０ａを介して、無線コントローラ２０にペアリング解消指示信号を送信するペアリング解消指示部である。ペアリング解消指示信号は、無線コントローラ２０と照明装置１１とのペアリング、および、照明装置１１と照明装置１２とのペアリングを解消させるための解消指示信号である。なお、ペアリング解消指示は、ユーザが表示入力部３０ｂを操作することによって操作端末３０に入力される。
【００３２】
記憶部３０ｇには、無線コントローラ２０の識別情報、および、各照明装置１１、１２の識別情報が保存されている。また、記憶部３０ｇには、照明装置１１が照明装置１３に変更された後（図３Ｂ参照）の照明装置１３の識別情報が保存される。なお、記憶部３０ｇには、照明装置１２の識別情報が保存されていなくてもよい。
【００３３】
ペアリング指示部３０ｈは、無線コントローラ２０および各照明装置１２、１３のペアリングの新たな設定を指示する。例えば、ペアリング指示部３０ｈは、照明装置１１が照明装置１３に変更される際に（図３Ｂ参照）、無線コントローラ２０と照明装置１３とのペアリング、および、照明装置１３と照明装置１２とのペアリングを指示するペアリング指示信号を、通信部３０ａを介して無線コントローラ２０に送信する。
【００３４】
無線コントローラ２０は、各照明装置１１、１２、１３を点灯制御するためのコントローラである。無線コントローラ２０は、通信部２０ａと、表示部２０ｂと、制御部２０ｃとを備える。通信部２０ａおよび表示部２０ｂのそれぞれは、制御部２０ｃに接続されている。
【００３５】
通信部２０ａは、無線通信ｒ３で操作端末３０と通信し、無線通信ｒ１で照明装置１１と通信する回路である。また、通信部２０ａは、無線通信ｒ１で照明装置１３と通信する回路である（図３Ｂ参照）。通信部２０ａは、無線モジュールなどによって構成されている。
【００３６】
表示部２０ｂは、無線コントローラ２０、照明装置１１、１２、１３のペアリング情報を表示する表示装置である。表示部２０ｂは、例えばパイロットランプである。
【００３７】
制御部２０ｃは、通信部２０ａおよび表示部２０ｂの作動を制御する回路である。制御部２０ｃは、例えばプロセッサなどによって構成されている。制御部２０ｃは、ペアリング解消部２０ｆ、記憶部２０ｇおよびペアリング実行部２０ｈを有している。
【００３８】
記憶部２０ｇには、無線コントローラ２０自身の識別情報、および、各照明装置１１、１２の識別情報が保存されている。また、記憶部２０ｇには、照明装置１１が照明装置１３に変更された後（図３Ｂ参照）の照明装置１３の識別情報が保存される。また、記憶部２０ｇには、無線コントローラ２０および照明装置１１のペアリングを解消、ならびに、無線コントローラ２０および照明装置１３のペアリングを設定するためのプログラムが保存されている。なお、記憶部２０ｇには、照明装置１２の識別情報が保存されていなくてもよい。
【００３９】
ペアリング解消部２０ｆは、無線コントローラ２０と照明装置１１とのペアリングを解消する。より具体的には、ペアリング解消部２０ｆは、操作端末３０から送信されたペアリング解消指示信号を受け付け、照明装置１１と照明装置１２とのペアリングが解消された後に、無線コントローラ２０と照明装置１１とのペアリングを解消する。
【００４０】
ペアリング実行部２０ｈは、中継用の照明装置１１が他の中継用の照明装置１３に変更される際に（図３Ｂ参照）、無線コントローラ２０と照明装置１３とのペアリングを実行する。より具体的には、ペアリング実行部２０ｈは、照明装置１１が照明装置１３に変更される際であって、操作端末３０からペアリング指示信号を受け付けた場合に上記ペアリングを実行する。また、ペアリング実行部２０ｈは、操作端末３０から送信されたペアリング指示信号を照明装置１３に送信する。
【００４１】
次に、中継用の照明装置１１について説明する。照明装置１１は、例えば、ＬＥＤ（Ｌｉｇｈｔ  Ｅｍｉｔｔｉｎｇ  Ｄｉｏｄｅ）ライトである。照明装置１１は、通信部１１ａと、点灯部１１ｂと、制御部１１ｃとを備える。通信部１１ａおよび点灯部１１ｂのそれぞれは、制御部１１ｃに接続されている。
【００４２】
通信部１１ａは、無線通信ｒ１で無線コントローラ２０と通信し、無線通信ｒ２で照明装置１２と通信する回路である。通信部１１ａは、無線モジュールなどによって構成されている。
【００４３】
点灯部１１ｂは、例えば、白色光、赤色光、緑色光または青色光を発する複数の発光ダイオードなどの光源を含む回路である。なお、点灯部１１ｂは、照明装置１１に関するペアリング情報を表示する表示部でもある。
【００４４】
制御部１１ｃは、無線コントローラ２０の指示に基づいて通信部１１ａおよび点灯部１１ｂの作動を制御する回路である。制御部１１ｃは、例えばプロセッサなどによって構成されている。制御部１１ｃは、取得部１１ｄ、判断部１１ｅ、ペアリング解消部１１ｆおよび記憶部１１ｇおよびペアリング実行部１１ｈを有している。なお、ペアリング実行部１１ｈの構成については、後述する照明装置１３のペアリング実行部１３ｈの構成と同じであるので、説明を省略する。
【００４５】
記憶部１１ｇには、照明装置１１自身の識別情報、無線コントローラ２０の識別情報、および、中継先の照明装置１２の識別情報が保存されている。また、記憶部１１ｇには、無線コントローラ２０、照明装置１１および１２のペアリングを解消するためのプログラムが保存されている。なお、記憶部１１ｇには、照明装置１１自身が中継用の照明装置として用いられているか否かを示す情報が保存されていてもよい。
【００４６】
取得部１１ｄは、操作端末３０から無線コントローラ２０を介して送信されたペアリング解消指示信号を取得する。この解消指示信号は、前述したように無線コントローラ２０と照明装置１１とのペアリング、および、照明装置１１と照明装置１２とのペアリングを解消する指示信号である。
【００４７】
判断部１１ｅは、取得部１１ｄが解消指示を取得した場合に、照明装置１１が照明装置１２とペアリング状態にあるか否かを判断する。すなわち、判断部１１ｅは、照明装置１１が中継用の照明装置として用いられているか否か、または、照明装置１１に対する中継先の照明装置１２が存在するか否かを判断する。
【００４８】
ペアリング解消部１１ｆは、取得部１１ｄがペアリング解消指示信号を取得し、かつ、判断部１１ｅが照明装置１１と照明装置１２とがペアリング状態にあると判断した場合に、無線コントローラ２０と照明装置１１とのペアリング、および、照明装置１１と照明装置１２とのペアリングを解消する。より具体的には、ペアリング解消部１１ｆは、照明装置１１と照明装置１２とのペアリングを解消した後に、無線コントローラ２０と照明装置１１とのペアリングを解消する。
【００４９】
次に、中継先の照明装置１２について説明する。照明装置１２は、例えば、ＬＥＤライトである。照明装置１２は、通信部１２ａと、点灯部１２ｂと、制御部１２ｃとを備える。通信部１２ａおよび点灯部１２ｂのそれぞれは、制御部１２ｃに接続されている。
【００５０】
通信部１２ａは、無線通信ｒ２で照明装置１１と通信する回路である。すなわち、通信部１２ａは、照明装置１１を介して無線コントローラ２０と通信する。通信部１２ａは、無線モジュールなどによって構成されている。
【００５１】
点灯部１２ｂは、例えば、白色光、赤色光、緑色光または青色光を発する複数の発光ダイオードなどの光源を含む回路である。
【００５２】
制御部１２ｃは、無線コントローラ２０の指示に基づいて通信部１２ａおよび点灯部１２ｂの作動を制御する回路である。制御部１２ｃは、例えばプロセッサなどによって構成されている。制御部１２ｃは、取得部１２ｄ、判断部１２ｅ、ペアリング解消部１２ｆおよび記憶部１２ｇおよびペアリング実行部１２ｈを有している。
【００５３】
取得部１２ｄは、操作端末３０から無線コントローラ２０および照明装置１１を介して送信されたペアリング解消指示信号を取得する。
【００５４】
判断部１２ｅは、取得部１２ｄが解消指示を取得した場合に、照明装置１２が照明装置１１とペアリング状態にあるか否かを判断する。すなわち、判断部１２ｅは、照明装置１２が中継先の照明装置として作動しているか否か、または、照明装置１２に対する中継用の照明装置１１が存在するか否かを判断する。
【００５５】
記憶部１２ｇには、照明装置１２自身の識別情報、および、中継用の照明装置１１の識別情報が保存されている。また、記憶部１２ｇには、照明装置１１、１２のペアリングの解消および照明装置１３、１２のペアリングの設定を行うためのプログラムが保存される。なお、記憶部１２ｇには、無線コントローラ２０の識別情報、または、照明装置１２自身が中継先の照明装置として作動しているか否かを示す情報が保存されていてもよい。
【００５６】
ペアリング解消部１２ｆは、取得部１２ｄがペアリング解消指示信号を取得し、かつ、判断部１２ｅが照明装置１１と照明装置１２とがペアリング状態にあると判断した場合に、照明装置１１と照明装置１２とのペアリングを解消する。より具体的には、ペアリング解消部１２ｆは、無線コントローラ２０と照明装置１１とのペアリングが解消される前に、照明装置１１と照明装置１２とのペアリングを解消する。
【００５７】
ペアリング実行部１２ｈは、照明装置１１が照明装置１３に変更される際に（図３Ｂ参照）、照明装置１３と照明装置１２とのペアリングを実行する。具体的には、ペアリング実行部１２ｈは、照明装置１１が照明装置１３に変更される際であって、操作端末３０から無線コントローラ２０および照明装置１３を介してペアリング指示信号を受け付けた場合に、上記ペアリングを実行する。
【００５８】
次に、他の中継用の照明装置１３について、図３Ｂを参照しながら説明する。照明装置１３は、例えば、ＬＥＤライトである。照明装置１３は、通信部１３ａと、点灯部１３ｂと、制御部１３ｃとを備える。通信部１３ａおよび点灯部１３ｂのそれぞれは、制御部１３ｃに接続されている。
【００５９】
通信部１３ａは、無線通信ｒ１で無線コントローラ２０と通信し、無線通信ｒ２で照明装置１２と通信する回路である。通信部１３ａは、無線モジュールなどによって構成されている。
【００６０】
点灯部１３ｂは、例えば、白色光、赤色光、緑色光または青色光を発する複数の発光ダイオードなどの光源を含む回路である。
【００６１】
制御部１３ｃは、無線コントローラ２０の指示に基づいて通信部１３ａおよび点灯部１３ｂの作動を制御する回路である。制御部１３ｃは、例えばプロセッサなどによって構成されている。制御部１３ｃは、取得部１３ｄ、判断部１３ｅ、ペアリング解消部１３ｆおよび記憶部１３ｇおよびペアリング実行部１３ｈを有している。なお、取得部１３ｄ、判断部１３ｅ、ペアリング解消部１３ｆの構成については、照明装置１１の取得部１１ｄ、判断部１１ｅ、ペアリング解消部１１ｆの構成と同じであるので、説明を省略する。
【００６２】
記憶部１３ｇには、照明装置１３自身の識別情報、無線コントローラ２０の識別情報、および、中継先の照明装置１２の識別情報が保存されている。また、記憶部１３ｇには、無線コントローラ２０、照明装置１３、１２のペアリングの設定を行うためのプログラムが保存されている。
【００６３】
ペアリング実行部１３ｈは、照明装置１１が照明装置１３に変更される際に（図３Ｂ参照）、無線コントローラ２０と照明装置１３とのペアリング、および、照明装置１３と照明装置１２とのペアリングを実行する。具体的には、ペアリング実行部１３ｈは、照明装置１１が照明装置１３に変更される際であって、操作端末３０から無線コントローラ２０を介してペアリング指示信号を受け付けた場合に上記ペアリングを実行する。
【００６４】
本実施の形態の照明システム１は、無線コントローラ２０と、無線コントローラ２０とペアリングすることで無線コントローラ２０によって制御される中継用の照明装置１１と、中継用の照明装置１１とペアリングすることで中継用の照明装置１１を介して無線コントローラ２０によって制御される中継先の照明装置１２とを備える。また、照明システム１は、無線コントローラ２０と中継用の照明装置１１とのペアリングを解消する解消指示を取得する取得部１１ｄと、取得部１１ｄが解消指示を取得した場合に、中継用の照明装置１１と中継先の照明装置１２とのペアリング、および、無線コントローラ２０と中継用の照明装置１１とのペアリングを解消するペアリング解消部１１ｆとを備える。
【００６５】
これによれば、無線コントローラ２０と照明装置１１とのペアリング、および、中継用の照明装置１１と中継先の照明装置１２とのペアリングを的確に解消することができる。これにより、無線コントローラ２０を用いて照明装置群１０を制御することが可能となる。
【００６６】
また、照明システム１は、さらに、中継用の照明装置１１と異なる他の中継用の照明装置１３を備え、中継用の照明装置１１と中継先の照明装置とのペアリングが解消された後、他の中継用の照明装置１３と中継先の照明装置１２とをペアリングさせるペアリング実行部１１ｈを備える。
【００６７】
これによれば、中継用の照明装置１１を他の中継用の照明装置１３に変更した後に、照明装置１３を介して照明装置１２を通信制御することができる。これにより、無線コントローラ２０を用いて照明装置１３および照明装置１２を制御することができる。
【００６８】
［１−２．照明システムのペアリング解消方法等］
次に、照明システム１のペアリング解消方法について、図４Ａを参照しながら説明する。
【００６９】
図４Ａは、照明システム１のペアリング解消方法を示すシーケンス図である。
【００７０】
はじめに、無線コントローラ２０と照明装置１１とがペアリングされた状態にあり、かつ、照明装置１１と照明装置１２とがペアリングされた状態にある。本実施の形態ではこの状態において、上記ペアリングを解消するため以下の処理が行われる。
【００７１】
操作端末３０は、表示入力部３０ｂを介してユーザからペアリング解消指示を受け付けた後、ペアリング解消指示信号を無線コントローラ２０に送信する。無線コントローラ２０は、ペアリング解消指示信号を受け付けた後、このペアリング解消指示信号を照明装置１１に送信する。
【００７２】
照明装置１１は、無線コントローラ２０から送信されたペアリング解消指示信号を受け付け、照明装置１１と照明装置１２とがペアリング状態にあるか否かを判断する（ステップＳ１１）。ここで、照明装置１１と照明装置１２とがペアリング状態にないと判断した場合に（Ｓ１１にてＮ）、照明システム１は、無線コントローラ２０と照明装置１１とのペアリングのみを解消する（ステップＳ１９）。一方、照明装置１１と照明装置１２とがペアリング状態にあると判断した場合に（Ｓ１１にてＹ）、照明装置１１は、照明装置１２にペアリング解消指示信号を送信する。
【００７３】
照明装置１２は、照明装置１１から送信されたペアリング解消指示信号を受け付けた後、ペアリングの解消を開始することを示す応答信号を照明装置１１に送信する。照明装置１２は、この応答信号を送信した後、記憶部１２ｇに保存されている照明装置１１の識別情報を消去する（ステップＳ２０）。
【００７４】
照明装置１１は、照明装置１２から送信された応答信号を受け付けた後、ペアリングの解消を開始することを示す応答信号を無線コントローラ２０に送信する。照明装置１１は、この応答信号を送信した後、記憶部１１ｇに保存されている照明装置１２の識別情報および無線コントローラ２０の識別情報を消去する（ステップＳ３０）。
【００７５】
このステップＳ２０およびＳ３０による識別情報の消去によって、照明装置１１と照明装置１２とのペアリングが解消される。なお、ステップＳ３０による識別情報の消去は、ステップＳ２０による識別情報の消去の後に行われてもよいし、同時に行われてもよい。また、照明装置１１は応答信号を受け取ったことを示すＡＣＫ（ＡＣＫｎｏｗｌｅｄｇｅｍｅｎｔ）信号を照明装置１２に返信し、照明装置１２はＡＣＫ信号を受け取った後に照明装置１１の識別情報を消去してもよい。
【００７６】
無線コントローラ２０は、照明装置１１から送信された応答信号を受け付けた後、ペアリングの解消を開始することを示す応答信号を操作端末３０に送信する。無線コントローラ２０は、この応答信号を送信した後、記憶部２０ｇに保存されている照明装置１１の識別情報を消去する（ステップＳ４０）。
【００７７】
このステップＳ３０およびＳ４０による識別情報の消去によって、無線コントローラ２０と照明装置１１とのペアリングが解消される。無線コントローラ２０と照明装置１１とのペアリングの解消は、照明装置１１と照明装置１２とのペアリングが解消された後に行われるが、同時に行われてもよい。なお、ステップＳ４０による識別情報の消去は、ステップＳ３０による識別情報の消去の後に行われてもよいし、同時に行われてもよい。また、無線コントローラ２０は応答信号を受け取ったことを示すＡＣＫ信号を照明装置１１に返信し、照明装置１１はＡＣＫ信号を受け取った後に無線コントローラ２０の識別情報を消去してもよい。
【００７８】
操作端末３０は、無線コントローラ２０から送信された応答信号を受け付けた後、無線コントローラ２０、照明装置１１、１２のそれぞれのペアリング解消相手の識別情報の消去結果を表示入力部３０ｂに表示する（ステップＳ５０）。これにより、照明システム１におけるペアリング解消の処理が終了する。
【００７９】
次に、照明システム１のペアリングの設定方法について、図４Ｂを参照しながら説明する。なお、ここで示すペアリングの設定とは、照明装置１１を照明装置１３に変更したことによる新たなペアリングの設定である。
【００８０】
図４Ｂは、照明システム１のペアリングの設定方法を示すシーケンス図である。
【００８１】
はじめに、無線コントローラ２０と照明装置１２との間に照明装置１３が配置された状態にある。本実施の形態ではこの状態において、照明システム１でのペアリングを設定するため以下の処理が行われる。
【００８２】
操作端末３０は、表示入力部３０ｂを介してユーザからペアリング指示を受け付けた後、ペアリング指示信号を無線コントローラ２０に送信する。無線コントローラ２０は、ペアリング指示信号を受け付けた後、このペアリング指示信号を照明装置１３に送信する。その送信の際、無線コントローラ２０は、無線コントローラ２０の識別情報を照明装置１３に送信する。照明装置１３は、ペアリング指示信号を受け付けた後、このペアリング指示信号を照明装置１２に送信する。その送信の際、照明装置１３は、照明装置１３の識別情報を照明装置１２に送信する。
【００８３】
照明装置１２は、照明装置１３からペアリング指示信号を受け付けた後、ペアリングを実行することを示す応答信号を照明装置１３に送信する。その送信の際、照明装置１２は、照明装置１２の識別情報を照明装置１３に送信する。照明装置１２は、この応答信号を送信した後、照明装置１３から送信された照明装置１３の識別情報を保存する（ステップＳ１２０）。
【００８４】
照明装置１３は、照明装置１２から送信された応答信号を受け付けた後、ペアリングを実行することを示す応答信号を無線コントローラ２０に送信する。その送信の際、照明装置１３は、照明装置１３の識別情報を無線コントローラ２０に送信する。照明装置１３は、この応答信号を送信した後、照明装置１２の識別情報および無線コントローラ２０の識別情報を保存する（ステップＳ１３０）。
【００８５】
無線コントローラ２０は、照明装置１３から送信された応答信号を受け付けた後、ペアリングを実行することを示す応答信号を操作端末３０に送信する。無線コントローラ２０は、この応答信号を送信した後、照明装置１３の識別情報を保存する（ステップＳ１４０）。
【００８６】
操作端末３０は、無線コントローラ２０から送信された応答信号を受け付けた後、無線コントローラ２０、照明装置１３、１２のそれぞれのペアリング相手の識別情報の設定結果を表示入力部３０ｂに表示する（ステップＳ１５０）。これにより、照明システム１におけるペアリングの設定の処理が終了する。
【００８７】
［１−３．実施の形態１の変形例１］
次に、実施の形態１の変形例１に係る照明システム１Ａについて、図５および図６を参照しながら説明する。変形例１では、実施の形態１で示した取得部および判断部が、無線コントローラ２０に設けられている例について説明する。
【００８８】
図５は、変形例１に係る照明システム１Ａの構成を示すブロック図である。
【００８９】
図５に示すように、無線コントローラ２０の制御部２０ｃは、取得部２０ｄ、判断部２０ｅ、記憶部２０ｇ、ペアリング解消部２０ｆおよびペアリング実行部２０ｈを有している。
【００９０】
取得部２０ｄは、操作端末３０から送信されたペアリング解消指示信号を取得する。判断部２０ｅは、取得部２０ｄが解消指示を取得した場合に、照明装置１１が照明装置１２とペアリング状態にあるか否かを判断する。すなわち、判断部２０ｅは、照明装置１１が中継用の照明装置として用いられているか否か、または、照明装置１１に対する中継先の照明装置１２が存在するか否かを判断する。
【００９１】
ペアリング解消部２０ｆは、取得部２０ｄがペアリング解消指示信号を取得し、かつ、判断部２０ｅが照明装置１１と照明装置１２とがペアリング状態にあると判断した場合に、無線コントローラ２０と照明装置１１とのペアリングを解消し、かつ、照明装置１１と照明装置１２とのペアリングを解消させる。より具体的には、ペアリング解消部２０ｆは、照明装置１１と照明装置１２とのペアリングを解消させた後に、無線コントローラ２０と照明装置１１とのペアリングを解消する。
【００９２】
図６は、変形例１に係る照明システム１Ａのペアリング解消方法を示すシーケンス図である。
【００９３】
まず、操作端末３０は、表示入力部３０ｂを介してユーザからペアリング解消指示を受け付けた後、ペアリング解消指示信号を無線コントローラ２０に送信する。
【００９４】
無線コントローラ２０は、操作端末３０から送信されたペアリング解消指示信号を受け付け、照明装置１１と照明装置１２とがペアリング状態にあるか否かを判断する（ステップＳ１１Ａ）。ここで、照明装置１１と照明装置１２とがペアリング状態にないと判断した場合に（Ｓ１１ＡにてＮ）、照明システム１Ａは、無線コントローラ２０と照明装置１１とのペアリングのみを解消する（ステップＳ１９）。一方、照明装置１１と照明装置１２とがペアリング状態にあると判断した場合に（Ｓ１１ＡにてＹ）、無線コントローラ２０は照明装置１１にペアリング解消指示信号を送信する。
【００９５】
照明装置１１は、ペアリング解消指示信号を受け付けた後、このペアリング解消指示信号を照明装置１２に送信する。
【００９６】
照明装置１２は、照明装置１１からペアリング解消指示信号を受け付けた後、ペアリングの解消を開始することを示す応答信号を照明装置１１に送信する。照明装置１２は、この応答信号を送信した後、記憶部１２ｇに保存されている照明装置１１の識別情報を消去する（ステップＳ２０）。以下、上記実施の形態１と同様にステップＳ３０〜Ｓ５０を実行する。これにより、変形例１の照明システム１Ａにおけるペアリング解消の処理が終了する。
【００９７】
本変形例１の照明システム１Ａは、無線コントローラ２０と中継用の照明装置１１とのペアリングを解消する解消指示を取得する取得部２０ｄと、取得部２０ｄが解消指示を取得した場合に、中継用の照明装置１１と中継先の照明装置１２とのペアリング、および、無線コントローラ２０と中継用の照明装置１１とのペアリングを解消するペアリング解消部２０ｆとを備える。
【００９８】
これによれば、無線コントローラ２０と照明装置１１とのペアリング、および、中継用の照明装置１１と中継先の照明装置１２とのペアリングを的確に解消することができる。
【００９９】
［１−４．実施の形態１の変形例２］
次に、実施の形態１の変形例２に係る照明システム１Ｂについて、図７および図８を参照しながら説明する。変形例２では、実施の形態１で示した取得部および判断部が、操作端末３０に設けられている例について説明する。
【０１００】
図７は、変形例２に係る照明システム１Ｂの構成を示すブロック図である。
【０１０１】
図７に示すように、操作端末３０の制御部３０ｃは、取得部３０ｄ、判断部３０ｅ、記憶部３０ｇ、ペアリング解消部３０ｆおよびペアリング実行部３０ｈを有している。
【０１０２】
取得部３０ｄは、表示入力部３０ｂによって入力されたペアリング解消指示信号を取得する。判断部３０ｅは、取得部３０ｄが解消指示を取得した場合に、照明装置１１が照明装置１２とペアリング状態にあるか否かを判断する。すなわち、判断部３０ｅは、照明装置１１が中継用の照明装置として用いられているか否か、または、照明装置１１に対する中継先の照明装置１２が存在するか否かを判断する。
【０１０３】
ペアリング解消部３０ｆは、取得部３０ｄがペアリング解消指示信号を取得し、かつ、判断部３０ｅが照明装置１１と照明装置１２とがペアリング状態にあると判断した場合に、無線コントローラ２０と照明装置１１とのペアリングを解消させ、かつ、照明装置１１と照明装置１２とのペアリングを解消させる。より具体的には、ペアリング解消部３０ｆは、照明装置１１と照明装置１２とのペアリングを解消させた後に、無線コントローラ２０と照明装置１１とのペアリングを解消させる。
【０１０４】
図８は、変形例２に係る照明システム１Ｂのペアリング解消方法を示すシーケンス図である。
【０１０５】
まず、操作端末３０は、表示入力部３０ｂを介してユーザからペアリング解消指示を受け付け、照明装置１１と照明装置１２とがペアリング状態にあるか否かを判断する（ステップＳ１１Ｂ）。ここで、照明装置１１と照明装置１２とがペアリング状態にないと判断した場合に（Ｓ１１ＢにてＮ）、照明システム１Ｂは、無線コントローラ２０と照明装置１１とのペアリングのみを解消させる（ステップＳ１９）。一方、照明装置１１と照明装置１２とがペアリング状態にあると判断した場合に（Ｓ１１ＢにてＹ）、操作端末３０は、無線コントローラ２０にペアリング解消指示信号を送信する。
【０１０６】
無線コントローラ２０は、ペアリング解消指示信号を無線コントローラ２０に送信する。照明装置１１は、ペアリング解消指示信号を受け付けた後、このペアリング解消指示信号を照明装置１２に送信する。
【０１０７】
照明装置１２は、照明装置１１からペアリング解消指示信号を受け付けた後、ペアリングの解消を開始することを示す応答信号を照明装置１１に送信する。照明装置１２は、この応答信号を送信した後、記憶部１２ｇに保存されている照明装置１１の識別情報を消去する（ステップＳ２０）。以下、上記実施の形態１と同様にステップＳ３０〜Ｓ５０を実行する。これにより、変形例２の照明システム１Ｂにおけるペアリング解消の処理が終了する。
【０１０８】
本変形例２の照明システム１Ｂは、無線コントローラ２０と中継用の照明装置１１とのペアリングを解消する解消指示を取得する取得部３０ｄと、取得部３０ｄが解消指示を取得した場合に、中継用の照明装置１１と中継先の照明装置１２とのペアリング、および、無線コントローラ２０と中継用の照明装置１１とのペアリングを解消するペアリング解消部３０ｆとを備える。
【０１０９】
これによれば、無線コントローラ２０と照明装置１１とのペアリング、および、中継用の照明装置１１と中継先の照明装置１２とのペアリングを的確に解消することができる。
【０１１０】
［１−５．効果等］
本実施の形態に係る照明システム１〜１Ｂは、無線コントローラ２０と、無線コントローラ２０とペアリングすることで無線コントローラ２０によって制御される中継用の照明装置１１と、中継用の照明装置１１とペアリングすることで中継用の照明装置１１を介して無線コントローラ２０によって制御される中継先の照明装置１２とを備える。照明システム１〜１Ｂは、無線コントローラ２０と中継用の照明装置１１とのペアリングを解消する解消指示を取得する取得部と、取得部が解消指示を取得した場合に、中継用の照明装置１１と中継先の照明装置１２とのペアリング、および、無線コントローラ２０と中継用の照明装置１１とのペアリングを解消するペアリング解消部とを備える。
【０１１１】
これによれば、無線コントローラ２０と照明装置１１とのペアリング、および、中継用の照明装置１１と中継先の照明装置１２とのペアリングを的確に解消することができる。これにより、無線コントローラ２０を用いて照明装置群１０を制御することが可能となる。
【０１１２】
また、ペアリング解消部は、中継用の照明装置１１と中継先の照明装置１２とのペアリングが解消された後に、無線コントローラ２０と中継用の照明装置１１とのペアリングを解消してもよい。
【０１１３】
これによれば、ペアリングの解消にミスが生じることを抑制することができる。
【０１１４】
また、照明システム１〜１Ｂは、さらに、無線コントローラ２０と通信する操作端末３０を備え、操作端末３０は、上記解消指示を無線コントローラ２０、中継用の照明装置１１および中継先の照明装置１２に出力してもよい。
【０１１５】
これによれば、無線コントローラ２０、中継用の照明装置１１、中継先の照明装置１２のそれぞれに対応するペアリングを的確に解消することができる。
【０１１６】
また、照明システム１〜１Ｂは、さらに、中継用の照明装置１１と中継先の照明装置１２とがペアリング状態にあるか否かを判断する判断部を備え、ペアリング解消部は、取得部が上記解消指示を取得し、かつ、判断部が中継用の照明装置１１と中継先の照明装置１２とがペアリング状態にあると判断した場合に、上記ペアリングを解消してもよい。
【０１１７】
これによれば、照明装置１１に中継先の照明装置１２が存在する場合であっても、照明装置１１と照明装置１２とのペアリングを的確に解消することができる。
【０１１８】
また、判断部は、中継用の照明装置１１に備えられていてもよい。
【０１１９】
これによれば、無線コントローラ２０と照明装置１２の間にある照明装置１１の判断によって、上記ペアリングを的確に解消することができる。
【０１２０】
また、判断部は、無線コントローラ２０に備えられていてもよい。
【０１２１】
これによれば、照明装置１１、１２を制御する無線コントローラ２０の判断によって、上記ペアリングを的確に解消することができる。
【０１２２】
また、判断部は、操作端末３０に備えられていてもよい。
【０１２３】
これによれば、設定器である操作端末３０の判断によって、上記ペアリングを的確に解消することができる。
【０１２４】
また、照明システム１〜１Ｂは、さらに、中継用の照明装置１１と異なる他の中継用の照明装置１３を備え、中継用の照明装置１１と中継先の照明装置１２とのペアリングが解消された後、他の中継用の照明装置１３と中継先の照明装置１２とをペアリングさせるペアリング実行部を備えていてもよい。
【０１２５】
この照明システム１〜１Ｂによれば、中継用の照明装置１１を他の中継用の照明装置１３に変更した後に、照明装置１３を介して照明装置１２を通信制御することができる。これにより、無線コントローラ２０を用いて照明装置１３および照明装置１２を制御することができる。
【０１２６】
本実施の形態に係る照明システム１〜１Ｂのペアリング解消方法は、無線コントローラ２０と、無線コントローラ２０と通信する中継用の照明装置１１と、中継用の照明装置１１を介して無線コントローラ２０と通信する中継先の照明装置１２とを備える照明システム１〜１Ｂのペアリング解消方法であって、無線コントローラ２０と中継用の照明装置１１とがペアリングされ、かつ、中継用の照明装置１１と中継先の照明装置１２とがペアリングされている状態において、無線コントローラ２０と中継用の照明装置１１とのペアリングを解消する解消指示を取得する取得ステップと、取得ステップの後に、中継用の照明装置１１と中継先の照明装置１２とのペアリング、および、無線コントローラ２０と中継用の照明装置１１とのペアリングを解消する解消ステップとを含む。
【０１２７】
これによれば、無線コントローラ２０と照明装置１１とのペアリング、および、中継用の照明装置１１と中継先の照明装置１２とのペアリングを的確に解消することができる。これにより、無線コントローラ２０を用いて照明装置群１０を制御することが可能となる。
【０１２８】
本実施の形態のプログラムは、上記照明システム１〜１Ｂのペアリング解消方法をコンピュータに実行させるためのプログラムである。
【０１２９】
このプログラムを用いることで、照明システム１〜１Ｂのペアリングを的確に解消することができる。
【０１３０】
（実施の形態２）
［２−１．照明システムのペアリング解消方法］
次に、実施の形態２に係る照明システム１について、図９〜図１１を参照しながら説明する。実施の形態２では、ペアリングを解消する前に、照明装置１１、無線コントローラ２０および操作端末３０のそれぞれが注意喚起表示を行う例について説明する。なお、実施の形態２の照明システム１は、図３Ａに示した照明システム１と同じ構成要素を有している。
【０１３１】
図９は、実施の形態２に係る照明システム１のペアリング解消方法を示すシーケンス図である。図１０は、照明システム１の操作端末３０に表示される画面の一例を示す図である。図１１は、照明システム１の操作端末３０に表示される画面の他の一例を示す図である。
【０１３２】
図９に示すように、中継用の照明装置１１は、無線コントローラ２０から送信されたペアリング解消指示信号を受け付け、照明装置１１と照明装置１２とがペアリング状態にあるか否かを判断する（ステップＳ１１）。そして、照明装置１１と照明装置１２とがペアリング状態にあると判断した場合に（Ｓ１１にてＹ）、照明装置１１は、中継先の照明装置１２が存在することをユーザに知らせるペアリング情報の表示を行う（ステップＳ１３）。このペアリング情報の表示は、ペアリング解消部１１ｆがペアリングを解消する前に実行される。照明装置１１は、例えば点灯部１１ｂを点滅させることでペアリング情報を表示する。
【０１３３】
また、照明装置１１は、照明装置１１と照明装置１２とがペアリング状態にあると判断した場合に（Ｓ１１にてＹ）、中継先の照明装置１２が存在することを無線コントローラ２０および操作端末３０に通知する。
【０１３４】
無線コントローラ２０は、例えば、表示部２０ｂを点滅させることでペアリング情報の表示を行う。
【０１３５】
操作端末３０は、ペアリング情報の表示として図１０に示すように、中継用の照明装置１１とペアリングしている中継先の照明装置１２が存在することを示す情報を表示入力部３０ｂに表示する。なお、操作端末３０は、ペアリング情報の表示として図１１に示すように、無線コントローラ２０と中継用の照明装置１１とのペアリングを解消すると、中継用の照明装置１１と中継先の照明装置１２とのペアリングも解消されることを示す情報を表示入力部３０ｂに表示してもよい。
【０１３６】
次に、操作端末３０では、ペアリングを解消してよいか否かを選択する操作入力が行われる（ステップＳ１５）。ペアリングを解消しない操作入力を受け付けた場合は（Ｓ１５にてＮ）、ペアリング解消指示の受付を待機する状態に戻る。ペアリングを解消する操作入力を受け付けた場合は（Ｓ１５にてＹ）、操作端末３０はペアリング解消指示を無線コントローラ２０に送信する。
【０１３７】
以下、実施の形態１と同様に、ペアリング解消指示の送信、応答、ステップＳ２０〜Ｓ５０を実行する。これにより、実施の形態２の照明システム１におけるペアリング解消の処理が終了する。
【０１３８】
［２−２．実施の形態２の変形例１］
次に、実施の形態２の変形例１に係る照明システム１Ａについて、図１２を参照しながら説明する。実施の形態２の変形例１では、ペアリングを解消する前に、無線コントローラ２０および操作端末３０のそれぞれが注意喚起表示を行う例について説明する。なお、実施の形態２の変形例１の照明システム１Ａは、図５に示した照明システム１Ａと同じ構成要素を有している。
【０１３９】
図１２は、実施の形態２の変形例１に係る照明システム１Ａのペアリング解消方法を示すシーケンス図である。
【０１４０】
図１２に示すように、無線コントローラ２０は、操作端末３０から送信されたペアリング解消指示信号を受け付け、照明装置１１と照明装置１２とがペアリング状態にあるか否かを判断する（ステップＳ１１Ａ）。そして、照明装置１１と照明装置１２とがペアリング状態にあると判断した場合に（Ｓ１１ＡにてＹ）、照明装置１１は、中継先の照明装置１２が存在することをユーザに知らせるペアリング情報の表示を行う（ステップＳ１３）。このペアリング情報の表示は、例えば、無線コントローラ２０の表示部２０ｂを点滅させることで実行される。
【０１４１】
また、無線コントローラ２０は、照明装置１１と照明装置１２とがペアリング状態にあると判断した場合に（Ｓ１１ＡにてＹ）、中継先の照明装置１２が存在することを操作端末３０に通知する。操作端末３０は、ペアリング情報の表示として例えば、中継用の照明装置１１とペアリングしている中継先の照明装置１２が存在すること示す情報を表示入力部３０ｂに表示する。
【０１４２】
以下、実施の形態２と同様にステップＳ１５、ペアリング解消指示の送信、応答、ステップＳ２０〜Ｓ５０を実行する。これにより、変形例１の照明システム１Ａにおけるペアリング解消の処理が終了する。
【０１４３】
［２−３．実施の形態２の変形例２］
次に、実施の形態２の変形例２に係る照明システム１Ｂについて、図１３を参照しながら説明する。実施の形態２の変形例２では、ペアリングを解消する前に、操作端末３０が注意喚起表示を行う例について説明する。なお、実施の形態２の変形例２の照明システム１Ｂは、図７に示した照明システム１Ｂと同じ構成要素を有している。
【０１４４】
図１３は、実施の形態２の変形例２に係る照明システム１Ｂのペアリング解消方法を示すシーケンス図である。
【０１４５】
図１３に示すように、操作端末３０は、表示入力部３０ｂを介してペアリング解消指示信号を受け付け、照明装置１１と照明装置１２とがペアリング状態にあるか否かを判断する（ステップＳ１１Ｂ）。そして、照明装置１１と照明装置１２とがペアリング状態にあると判断された場合に（Ｓ１１ＢにてＹ）、照明装置１１は、中継先の照明装置１２が存在することをユーザに知らせるために、ペアリング情報の表示を行う（ステップＳ１３）。このペアリング情報の表示は、中継用の照明装置１１とペアリングしている中継先の照明装置１２が存在することを表示入力部３０ｂに表示することで実行される。
【０１４６】
以下、実施の形態２と同様にステップＳ１５、ペアリング解消指示の送信、応答、ステップＳ２０〜Ｓ５０を実行する。これにより、変形例２の照明システム１Ｂにおけるペアリング解消の処理が終了する。
【０１４７】
［２−４．効果等］
実施の形態２に係る照明システム１〜１Ｂも、実施の形態１と同様に、無線コントローラ２０と中継用の照明装置１１とのペアリングを解消する解消指示を取得する取得部と、取得部が解消指示を取得した場合に、中継用の照明装置１１と中継先の照明装置１２とのペアリング、および、無線コントローラ２０と中継用の照明装置１１とのペアリングを解消するペアリング解消部とを備える。
【０１４８】
これによれば、無線コントローラ２０と照明装置１１とのペアリング、および、中継用の照明装置１１と中継先の照明装置１２とのペアリングを的確に解消することができる。
【０１４９】
また、実施の形態２の照明システム１〜１Ｂは、さらに、中継用の照明装置１１と中継先の照明装置１２とのペアリングに関するペアリング情報を表示する表示部を備え、表示部は、取得部が上記解消指示を取得し、かつ、判断部が中継用の照明装置１１と中継先の照明装置１２とがペアリング状態にあると判断した場合に、ペアリング解消部がペアリングを解消する前にペアリング情報を表示してもよい。
【０１５０】
これによれば、照明システム１〜１Ｂのペアリングを解消する前に、照明システム１〜１Ｂを使うユーザが上記ペアリング情報を認識することができる。これによりユーザは、ペアリングの解消によって、照明システム１〜１Ｂのペアリング設定に変更が生じるか否かを事前に知ることができる。
【０１５１】
また、表示部は、無線コントローラ２０に備えられていてもよい。
【０１５２】
これによれば、ペアリング情報を簡易に表示してユーザに知らせることができる。
【０１５３】
また、表示部は、中継用の照明装置１１に備えられている点灯部１１ｂであってもよい。
【０１５４】
これによれば、ペアリング情報を簡易に表示してユーザに知らせることができる。
【０１５５】
また、表示部は、操作端末３０に備えられている表示入力部３０ｂであってもよい。
【０１５６】
これによれば、ペアリング情報を的確に表示してユーザに知らせることができる。
【０１５７】
また、表示部は、上記ペアリング情報として、中継用の照明装置１１と中継先の照明装置１２とがペアリングしていることを示す情報を表示してもよい。
【０１５８】
これによりユーザは、ペアリングの解消によって、照明システム１〜１Ｂのペアリング設定に変更が生じるか否かを知ることができる。
【０１５９】
また、表示部は、上記ペアリング情報として、無線コントローラ２０と中継用の照明装置１１とのペアリングの解消に伴って中継用の照明装置１１と中継先の照明装置１２とのペアリングが解消されることを示す情報を表示してもよい。
【０１６０】
これによりユーザは、ペアリングの解消によって、照明システム１〜１Ｂのペアリング設定に変更が生じるか否かを知ることができる。
【０１６１】
（実施の形態３）
次に、実施の形態３に係る照明システム１について、図１４を参照しながら説明する。実施の形態３では、ペアリングの解消が失敗した例について説明する。なお、実施の形態３の照明システム１は、図３Ａに示した照明システム１と同じ構成要素を有している。
【０１６２】
まず、操作端末３０は、ユーザからペアリング解消指示を受け付けた後、ペアリング解消指示信号を無線コントローラ２０に送信する。無線コントローラ２０は、ペアリング解消指示信号を受け付けた後、このペアリング解消指示信号を照明装置１１に送信する。照明装置１１は、ペアリング解消指示信号を受け付けた後、このペアリング解消指示信号を照明装置１２に送信する。
【０１６３】
照明装置１２は、照明装置１１から送信されたペアリング解消指示信号を受け付けた後、ペアリングの解消を開始することを示す応答信号を照明装置１１に送信する。本実施の形態では、応答信号が照明装置１１に到達しなかった場合について説明する。
【０１６４】
照明装置１１は、ペアリング解消指示信号を照明装置１２に送信してから一定期間の間に応答信号を受け付けたか否かを判断する。照明装置１１は、上記応答信号を受け付けなかった場合に（ステップＳ１７）、中継先の照明装置１２および無線コントローラ２０の識別情報を消去せず保持する（ステップＳ３１）。また、照明装置１１は、上記応答信号を受け付けなかった場合に、ペアリング解消指示が失敗したことを示す失敗応答信号を照明装置１２および無線コントローラ２０に送信する。
【０１６５】
照明装置１２は、上記の失敗応答信号を受け付けると、中継用の照明装置１１の識別情報を消去せず保持する（ステップＳ２１）。
【０１６６】
無線コントローラ２０は、上記の失敗応答信号を受け付けると、中継用の照明装置１１の識別情報を消去せず保持する（ステップＳ４１）。また無線コントローラ２０は、失敗応答信号を受け付けた後、この失敗応答信号を操作端末３０に転送する。操作端末３０は、ペアリングの解消が失敗したことを示す失敗結果を表示入力部３０ｂに表示する（ステップＳ５１）。これにより、実施の形態３の照明システム１において、ペアリングの解消が失敗したことをユーザに報知することができる。
【０１６７】
（その他の形態）
以上、照明システム等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１６８】
例えば、無線コントローラ２０は、建物の天井に設置されていてもよいし、床に設置されていてもよい。照明システムの無線コントローラ２０は、１台に限られず複数台であってもよい。また、照明システムは、無線コントローラおよび照明装置を統括する上位コントローラをさらに備えていてもよい。
【０１６９】
また、上記実施の形態のシーケンス図で説明された処理の順序は、一例である。複数の処理の順序は変更されてもよいし、複数の処理は並行して実行されてもよい。
【０１７０】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７１】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１７２】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。
【０１７３】
例えば、本発明は、上記実施の形態の情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本発明は、このようなプログラムが記録されたコンピュータ読み取り可能な非一時的な記録媒体として実現されてもよい。
【符号の説明】
【０１７４】
１、１Ａ、１Ｂ  照明システム
１１    中継用の照明装置
１２    中継先の照明装置
１３    他の中継用の照明装置
１１ｂ、１２ｂ、１３ｂ  点灯部
１１ｄ、１２ｄ、１３ｄ  取得部
１１ｅ、１２ｅ、１３ｅ  判断部
１１ｆ、１２ｆ、１３ｆ  ペアリング解消部
２０    無線コントローラ
２０ｂ  表示部
２０ｄ  取得部
２０ｅ  判断部
２０ｆ  ペアリング解消部
３０    操作端末
３０ｂ  表示入力部
３０ｄ  取得部
３０ｅ  判断部
３０ｈ  ペアリング指示部
ｒ１、ｒ２、ｒ３  無線通信
【図１】
2020123514.tif 000003
【図２】
2020123514.tif 000004
【図３Ａ】
2020123514.tif 000005
【図３Ｂ】
2020123514.tif 000006
【図４Ａ】
2020123514.tif 000007
【図４Ｂ】
2020123514.tif 000008
【図５】
2020123514.tif 000009
【図６】
2020123514.tif 000010
【図７】
2020123514.tif 000011
【図８】
2020123514.tif 000012
【図９】
2020123514.tif 000013
【図１０】
2020123514.tif 000014
【図１１】
2020123514.tif 000015
【図１２】
2020123514.tif 000016
【図１３】
2020123514.tif 000017
【図１４】
2020123514.tif 000018